(57)【要約】【課題】組立・分離が容易であって、優れた装飾性を備えたモニター固定装飾枠体の提供を図る。【解決手段】所要長さ、幅、厚さを有し、モニターの側面に装着される棒状のガイドレールと、正面壁と該正面壁における対向する左右両端辺から略直角方向に延伸する側壁とから成り、該正面壁に所要大きさのモニター開口が備えられるとともに、モニター側面に装着された前記ガイドレールを下方から差し込み嵌合可能なガイド凹部が左右夫々の側壁内面に備えられて成るモニター枠と、から構成されている。また、正面壁と該正面壁における対向する左右両端辺から夫々略直角方向に延伸する側壁とから成り、前記ガイドレールを上方から差し込み嵌合可能なガイド凹部が左右夫々の側壁内面に備えられて成るスタンドが、前記モニター枠下方に装備された構成を採り得る。【選択図】図１
0003172013.tif 000002
【実用新案登録請求の範囲】
【請求項１】
所要長さ、幅、厚さを有する棒状であって、モニターの側面に装着される一対のガイドレール２と、
正面壁と該正面壁における対向する左右両端辺から略直角方向に延伸する側壁とから成り、該正面壁に所要大きさのモニター開口が備えられるとともに、モニター側面に装着された前記ガイドレール２を下方から差し込み嵌合可能なガイド凹部が左右夫々の側壁内面に備えられて成るモニター枠と、
から構成されていることを特徴とするモニター固定装飾枠体。
【請求項２】
所要長さ、幅、厚さを有する棒状であって、上部がモニターの側面に装着される一対のガイドレール２と、
正面壁と該正面壁における対向する左右両端辺から夫々略直角方向に延伸する側壁とから成り、前記ガイドレール２の下部を上方から差し込み嵌合可能なガイド凹部が左右夫々の側壁内面に備えられて成るスタンドと、
正面壁と該正面壁における対向する左右両端辺から略直角方向に延伸する側壁とから成り、該正面壁に所要大きさのモニター開口が備えられるとともに、モニター側面に装着された前記ガイドレール２の上部を下方から差し込み嵌合可能なガイド凹部が左右夫々の側壁内面に備えられて成るモニター枠と、
から構成されていることを特徴とするモニター固定装飾枠体。
【請求項３】
前記モニター枠若しくはスタンドに、転倒防止並びに安定設置のための脚部が備えられていることを特徴とする請求項１または請求項２に記載のモニター固定装飾枠体。
【請求項４】
前記脚部に、移動式キャスターが備えられていることを特徴とする請求項３に記載のモニター固定装飾枠体。
【請求項５】
前記スタンドの正面壁若しくは前記モニター枠の正面壁のうち少なくとも一方が、格子状に形成されていることを特徴とする請求項１乃至請求項４に記載のモニター固定装飾枠体。
【考案の詳細な説明】
【技術分野】
【０００１】
本考案は、モニターを設置するための固定枠体に関し、詳しくは、美感を呈する装飾機能を備えたモニターの固定枠体に関するものである。
【背景技術】
【０００２】
店頭看板や店頭広告の媒体として、従来より電光掲示板などが用いられており、最近では、液晶モニターを広告媒体として店頭に設置することが行われるようになってきている。かかる電光掲示板や液晶モニターは、無機質な電子機器であるため、ときに都市景観における美感を阻害する要因となってしまう。そこで、かかる電子機器に装飾を施すことで、上記問題の解決を図ることも考え得るが、機械メンテナンス時に装飾品を取り外すなど、煩雑な手間がかかることとなってしまう。
【０００３】
【特許文献１】登録実用新案第３００３３６７号公報
【考案の開示】
【考案が解決しようとする課題】
【０００４】
そこで、本考案は、上記事情に鑑みてなされたものであり、組立・分離が容易であって、優れた装飾性を備えたモニター固定装飾枠体を提供することを課題としている。
【課題を解決するための手段】
【０００５】
このような課題を解決するために、本考案の請求項１に係るモニター固定装飾枠体は、所要長さ、幅、厚さを有する棒状であって、モニターの側面に装着される一対のガイドレールと、正面壁と該正面壁における対向する左右両端辺から略直角方向に延伸する側壁とから成り、該正面壁に所要大きさのモニター開口が備えられるとともに、モニター側面に装着された前記ガイドレールを下方から差し込み嵌合可能なガイド凹部が左右夫々の側壁内面に備えられて成るモニター枠と、から構成されている。
【０００６】
また、本考案の請求項２に係るモニター固定装飾枠体は、所要長さ、幅、厚さを有する棒状であって、上部がモニターの側面に装着される一対のガイドレールと、正面壁と該正面壁における対向する左右両端辺から夫々略直角方向に延伸する側壁とから成り、前記ガイドレールの下部を上方から差し込み嵌合可能なガイド凹部が左右夫々の側壁内面に備えられて成るスタンドと、正面壁と該正面壁における対向する左右両端辺から略直角方向に延伸する側壁とから成り、該正面壁に所要大きさのモニター開口が備えられるとともに、モニター側面に装着された前記ガイドレールの上部を下方から差し込み嵌合可能なガイド凹部が左右夫々の側壁内面に備えられて成るモニター枠と、から構成されている。
【０００７】
さらに、本考案の請求項３に係るモニター固定装飾枠体は、前記モニター枠若しくはスタンドに、転倒防止並びに安定設置のための脚部が備えられている構成となっている。
【０００８】
またさらに、本考案の請求項４に係るモニター固定装飾枠体は、前記脚部に、移動式キャスターが備えられている構成となっている。
【０００９】
そしてまた、本考案の請求項５に係るモニター固定装飾枠体は、前記スタンドの正面壁若しくは前記モニター枠の正面壁のうち少なくとも一方が、格子状に形成されている構成となっている。
【考案の効果】
【００１０】
本考案に係るモニター固定装飾枠体によれば、ガイドレールに沿ってスタンドとモニターとモニター枠とが容易に組立・分離可能であるため、機械メンテナンス時の作業性向上に資するとともに、優れた装飾性を備え、街の景観に合致し、かつ、観者の美感を刺激して、広告機能として優れた効果を奏する。
【図面の簡単な説明】
【００１１】
【図１】本考案に係るモニター固定装飾枠体の実施形態を示す正面図である。
【図２】本考案に係るモニター固定装飾枠体の実施形態を示す背面図である。
【図３】本考案に係るモニター固定装飾枠体の実施形態を示す平面図である。
【図４】本考案に係るモニター固定装飾枠体の実施形態を示す側面図である。
【図５】本考案に係るモニター固定装飾枠体の実施形態を示す斜視図である。
【図６】本考案に係るモニター固定装飾枠体の実施形態を示す分解斜視図である。
【考案を実施するための最良の形態】
【００１２】
以下、本考案に係るモニター固定装飾枠体１の実施形態について、図面を参照しながら説明する。
なお、本考案は、下記の実施形態に示した構成に特に限定されるものではなく、本考案の技術的思想の要旨に逸脱しない範囲で、任意に変更することができるものである。
【実施例１】
【００１３】
図１乃至図６は、本考案に係るモニター固定装飾枠体１の実施形態を示しており、図１は正面図、図２は背面図、図３は平面図、図４は側面図、図５は斜視図、図６は分解図である。
本考案の第一の実施形態に係るモニター固定装飾枠体１（実施例１）は、ガイドレール２と、モニター枠６と、から構成されている。
【００１４】
ガイドレール２は、図６に示すように、所要長さ、幅、厚さを有する棒状体からなり、モニターＭの側面に装着されることとなる。なお、該ガイドレール２は、モニターＭの左右両側面に夫々装着されるため、左右一対用意される。
該ガイドレール２の所定箇所には、モニターＭに装着するための装着機構が設けられている。かかる装着機構の態様については、特に限定はないが、例えば、ガイドレール２に螺着用の孔２ａを設けて、該孔２ａを介してネジＮによりモニターＭに装着・固定する態様が考え得る。
該ガイドレール２の材質については、木製や樹脂製、金属製等、特に限定するものではなく、後述するやモニター枠６と同材質とすることが考え得る。
なお、ガイドレール２のモニター装着箇所において、機械的構造上からモニターＭの側面を完全に閉塞することが好ましくない箇所については、その箇所に対応するガイドレール２の中間位置に適宜空域Ｓを設ける態様を採用する。
【００１５】
モニター枠６は、図面に示すように、平面視において略Ｕ字状となっており、すなわち、正面壁６ａと、該正面壁６ａにおける対向する左右両端辺から夫々略直角方向に延伸する側壁６ｂと、から構成されている。
かかる側壁６ｂの内面には、ガイド凹部６ｃが備えられている。そして、該ガイド凹部６ｃには、前記ガイドレール２が下方から差し込み可能となっている。なお、言うまでもないが、該ガイド凹部６ｃは左右の側壁６ｂ両方に備えられる。かかる左右のガイド凹部６ｃにモニターＭに装着された左右のガイドレール２が差し込まれることで、該ガイドレール２とガイド凹部６ｃとが嵌合状態となる。
また、該モニター枠６における正面壁６ａには、該正面壁越しにモニター画面を視認できるよう、所要大きさのモニター開口６ｅが備えられている。
さらに、モニター枠６には、図面に示すように、延伸した両側壁６ｂの先端辺における所定箇所を結ぶ支持桟６ｄを備える態様が考え得る。かかる支持桟６ｄは、少なくとも一以上備えられる。該支持桟６ｄを備えることで、モニター枠６の増強と安定性向上、並びに、モニターＭの支持や保護に資することとなる。
モニター枠６の材質については、木製や樹脂製、金属製等、特に限定するものではなく、前記ガイドレール２と同材質とすることが考え得る。
【００１６】
ところで、前記モニター枠６には、脚部４を備える態様が考え得る。すなわち、本実施形態に係るモニター固定装飾枠体１は、モニター枠６中間位置にモニターＭが設置・固定されるため、該モニターＭの重さにより全体バランスが不安定状態になりかねない。そこで、脚部４を備えることで、該脚部４が転倒防止並びに安定設置のために機能することとなる。
かかる脚部４の構造については、モニター枠６の両側壁６ｂから後方へ延伸部材を設ける態様などが考え得る。
なお、脚部４の材質については、特に限定するものではないが、転倒防止や設置安定性に鑑み、ある程度重量のある金属製とすることが好ましい。
【００１７】
また、前記脚部４について、移動式キャスター５が備えられている構造を採用し得る。かかる構造を採用することで、本実施形態に係るモニター固定装飾枠体１全体の移動を容易に行うことが可能となり、運搬性・設置作業性の向上に資する。
【００１８】
以上の通り構成される本実施形態に係る前記モニター枠６について、図面に示すように、正面壁６ａを格子状に形成する態様、すなわち、横桟を基台として縦格子を複数配する態様が考え得る。
このように、モニター枠６の正面壁６ａを格子状とすることで、観者の美感を刺激する効果を奏するのみならず、壁面に通気性を備えることで、横風等による抵抗を和らげて転倒防止に資するとともに、機械熱の放熱作用を奏し、さらには、モニター固定装飾枠体１全体の軽量化にも資する効果を奏する。
【００１９】
以上の通り構成される本実施形態に係るモニター固定装飾枠体１について、次にその組立方法を説明する。
まず始めに、左右一対用意されたガイドレール２を、モニターＭの左右側面に夫々装着する。
そして、モニターＭ両側面に装着されたガイドレール２とモニター枠６の両側壁６ｂ内面に備えられたガイド凹部６ｃとを嵌合させるように、モニターＭの上方から、モニター枠６を差し込み固定する。
以上の簡易な組立作業工程を経て、本実施形態に係るモニター固定装飾枠体１は組み立てられ、使用状態となる。
【００２０】
本実施形態に係るモニター固定装飾枠体１の設置態様としては、建物外壁等に壁掛け式に設置する態様が考えられ、あるいは、脚部４を備える構造を採用した場合に、路上・床面設置の態様も可能である。
【実施例２】
【００２１】
次に、本考案に係るモニター固定装飾枠体１の第二の実施形態（実施例２）について説明する。第二の実施形態に係るモニター固定装飾枠体１は、ガイドレール２と、スタンド３と、モニター枠５と、から構成されている。
【００２２】
ガイドレール２は、図面に示すように、所要長さ、幅、厚さを有する棒状体からなる。該ガイドレール２の上部は、モニターＭの側面に装着されることとなり、また、かかる装着状態にてガイドレール２の下部は、モニターＭ下方へ延伸された状態となる。なお、該ガイドレール２は、モニターＭの左右両側面に夫々装着されるため、左右一対用意される。
該ガイドレール２の材質については、木製や樹脂製、金属製等、特に限定するものではなく、後述するスタンド３やモニター枠６と同材質とすることが考え得る。
なお、本実施形態に係るガイドレール２において、モニターＭへの装着機構が設けられていること並びに該装着機構の態様については、上記第一の実施形態と同様である。また、該ガイドレール２における中間位置に適宜空域Ｓを設ける態様を採用し得ることについても、上記第一の実施形態と同様である。
【００２３】
スタンド３は、図面に示すように、平面視において略Ｕ字状となっており、すなわち、正面壁３ａと、該正面壁３ａにおける対向する左右両端辺から夫々略直角方向に延伸する側壁３ｂと、から構成されている。
かかる側壁３ｂの内面には、ガイド凹部３ｃが備えられている。そして、該ガイド凹部３ｃには、前記ガイドレール２の下部が上方から差し込み可能となっている。なお、言うまでもないが、該ガイド凹部３ｃは左右の側壁３ｂ両方に備えられる。かかる左右のガイド凹部３ｃにモニターＭに装着された左右のガイドレール２が差し込まれることで、該ガイドレール２とガイド凹部３ｃとが嵌合状態となって固定される。
また、スタンド３には、図面に示すように、延伸した両側壁３ｂの先端辺における所定箇所を結ぶ支持桟３ｄを備える態様が考え得る。かかる支持桟３ｄは、少なくとも一以上備えられる。該支持桟３ｄを備えることで、スタンド３の増強と安定性向上に資することとなる。
スタンド３の材質については、木製や樹脂製、金属製等、特に限定するものではなく、前記ガイドレール２や後述するモニター枠５と同材質とすることが考え得る。
【００２４】
ところで、前記スタンド３には、図示されているように、脚部４を備えることが好ましい。すなわち、本考案に係るモニター固定装飾枠体１は、スタンド３より上方にモニターＭが設置・固定されるため、該モニターＭの重さにより全体バランスが不安定状態になりかねない。そこで、脚部４をスタンド３に備えることで、該脚部４が転倒防止並びに安定設置のために機能することとなる。
かかる脚部４の構造については、図示のように、スタンド３の両側壁３ｂから後方へ延伸部材を設ける態様などが考え得る。
なお、脚部４の材質については、特に限定するものではないが、転倒防止や設置安定性に鑑み、ある程度重量のある金属製とすることが好ましい。
【００２５】
また、前記脚部４について、図面に示すように、移動式キャスター５が備えられている構造を採用し得る。かかる構造を採用することで、本考案に係るモニター固定装飾枠体１全体の移動を容易に行うことが可能となり、運搬性・設置作業性の向上に資する。
【００２６】
本実施形態に係るモニター枠６の構造や材質等については、前記第一の実施形態と同様であるため、説明を省略する。
ただし、本実施形態においては、前記第一の実施形態のようにモニター枠６に脚部４が備えられることはなく、上述の通りスタンド３に脚部４を備える態様を採用する。
【００２７】
以上の通り構成される本実施形態に係る前記スタンド３並びにモニター枠６について、図面に示すように、夫々の正面壁３ａ・６ａを格子状に形成する態様、すなわち、横桟を基台として縦格子を複数配する態様が考え得る。このとき、前記スタンド３の正面壁３ａ及びモニター枠６の正面壁６ａの両方とも格子状とする態様のほか、いずれか一方のみを格子状とする態様も考え得る。
このように、スタンド３の正面壁３ａ並びにモニター枠６の正面壁６ａを格子状とすることで、観者の美感を刺激する効果を奏するのみならず、壁面に通気性を備えることで、横風等による抵抗を和らげて転倒防止に資するとともに、機械熱の放熱作用を奏し、さらには、モニター固定装飾枠体１全体の軽量化にも資する効果を奏する。
【００２８】
以上の通り構成される本実施形態に係るモニター固定装飾枠体１について、次にその組立方法を説明する。
まず始めに、左右一対用意されたガイドレール２の上部を、モニターＭの左右側面に夫々装着する。
次に、モニターＭ下方へ延伸された左右のガイドレール２下部を、スタンド３の両側壁３ｂ内面に備えられたガイド凹部３ｃへ上方から差し込み嵌合し、スタンド３とモニターＭとを固定する。
そして最後に、モニターＭ両側面に装着されたガイドレール２上部とモニター枠６の両側壁６ｂ内面に備えられたガイド凹部６ｃとを嵌合させるように、スタンド３に固定されたモニターＭの上方から、モニター枠６を差し込み固定する。
以上の簡易な組立作業工程を経て、本実施形態に係るモニター固定装飾枠体１は組み立てられ、使用状態となる。
【００２９】
本実施形態に係るモニター固定装飾枠体１の設置態様としては、前記第一の実施形態と同様、建物外壁等に壁掛け式に設置する態様も可能ではあるが、脚部４を備える構造を採用するしないにかかわらず、基本的には路上・床面に設置する態様となる。
【産業上の利用可能性】
【００３０】
本考案は、店舗や公共の場での美観維持及び調和のために、無機質な電子機器等を装飾するものであるが、その他種々のシチュエーションで使用することも可能であり、また、間伐材や端材を活用して実現可能な製品であり、建具技術を活用して金具類の使用を極力減らすことにより、リサイクルにも適するものとなり、さらには、通気性の高い構造とすることで、機器への直射日光を減衰させつつ効率的な排熱を実現し、機器の保護に役立つとともに地球温暖化を抑制することが可能であって、本考案の産業上の利用可能性は大である。
【符号の説明】
【００３１】
１    モニター固定装飾枠体
２    ガイドレール
２ａ  孔
３    スタンド
３ａ  正面壁
３ｂ  側壁
３ｃ  ガイド凹部
３ｄ  支持桟
４    脚部
５    移動式キャスター
６    モニター枠
６ａ  正面壁
６ｂ  側壁
６ｃ  ガイド凹部
６ｄ  支持桟
６ｅモニター開口
Ｍ    モニター
Ｎ    ネジ
Ｓ    空域
【図１】
0003172013.tif 000003
【図２】
0003172013.tif 000004
【図３】
0003172013.tif 000005
【図４】
0003172013.tif 000006
【図５】
0003172013.tif 000007
【図６】
0003172013.tif 000008